(57)【特許請求の範囲】
【請求項１】
送り手側の端末において、メッセージ本文と、少なくとも１つの第１の独立デジタルオブジェクト及び対応する第１のタグと、前記第１のタグにより前記第１の独立デジタルオブジェクトに関連付けられた少なくとも１つの第１の従属デジタルオブジェクトと、を持つＥメールを作成するステップと、
前記送り手側の端末と受け手側の端末との間にある中間サーバにおいて、前記の関連付けられた第１の独立デジタルオブジェクトとマッチする前記第１の従属デジタルオブジェクトを抽出するように前記Ｅメールを処理するステップであって、これにより、前記受け手側の端末により制御されるテレビジョンセットにおける表示に適切なフォーマットにフォーマットされた第１の処理されたコンテンツを形成する、ステップと、
前記受け手側の端末において、前記第１の処理されたコンテンツの前記第１の独立デジタルオブジェクト及び前記第１の従属デジタルオブジェクトが同時に提示される一方で、前記メッセージ本文及び前記第１の処理されたコンテンツが別々に提示されるように前記Ｅメールを前記テレビジョンセット上に表示するステップとを有する、方法。
【請求項２】
前記処理するステップが、前記Ｅメールの構文解析を有する、請求項１に記載の方法。
【請求項３】
前記第１の従属デジタルオブジェクトが、対応するタグを持つ、請求項１に記載の方法。
【請求項４】
前記Ｅメールは、前記第１の独立デジタルオブジェクトに対して、前記対応するタグが前記Ｅメールに書き込まれ、前記関連付けられた従属デジタルオブジェクト及び<ENTER>キーが後に続くように構成される、請求項１に記載の方法。
【請求項５】
前記Ｅメールが、
対応する第２のタグを持つ第２の独立デジタルオブジェクトと、
前記第２のタグにより前記第２の独立デジタルオブジェクトと関連付けられた少なくとも１つの第２の従属デジタルオブジェクトと、
を有し、
前記処理するステップが、前記の関連付けられた第２の独立デジタルオブジェクトとマッチさせるための前記第２の従属デジタルオブジェクトの抽出を有し、これにより第２の処理されたコンテンツを形成し、前記表示するステップが、前記第２の処理されたコンテンツの前記第２の独立デジタルオブジェクト及び前記第２の従属デジタルオブジェクトを同時に提示し、前記第１の処理されたコンテンツ及び前記第２の処理されたコンテンツを順次的に提示することを有する、請求項１に記載の方法。
【請求項６】
独立デジタルオブジェクトが、フォトであり、前記フォトに関連付けられた従属デジタルオブジェクトが、前記フォトを説明するテキストであり、前記表示するステップの間に、前記テキストが、前記フォトとともに添付されたテキストとして表示される、請求項１に記載の方法。
【請求項７】
計算装置上で実行される場合に、請求項１ないし６のいずれか一項に記載の方法のステップを実施するように構成されたコード手段を含むコンピュータプログラム。
【発明の詳細な説明】
【技術分野】
【０００１】
本発明は、Ｅメールを作成するステップと、展開に対して前記Ｅメールを処理するステップと、前記Ｅメールを表示するステップとを有する、Ｅメールをパッケージ化及び表示する方法に関する。
【背景技術】
【０００２】
最近まで、写真を見ることは、しばしば、フォトアルバムのページをめくり、提供されていれば、各フォトの行われている活動に関連付けられた説明を読むことを含んでいた。最近では、きわめて多くの写真が、例えばデジタルカメラ及び携帯電話を用いて撮られ、写真を見ることは、しばしば、コンピュータ画面及び携帯電話ディスプレイのような装置上のデジタルフォトを見ることを含む。加えて、現代の技術は、デジタルフォト、並びに例えばビデオ、オーディオ及びフラッシュファイルのような他のデジタルオブジェクトさえ、あるエンティティから他のエンティティへ通信されることを可能にする。フォトは、例えば、Ｅメールに対する添付として、インターネット上であるコンピュータから他のコンピュータに提出されることができ、この写真は、したがって、メッセージの受け手と共有される。
【０００３】
Ｅメール添付を用いたフォトの共有は、便利な、ユーザにとってしばしば単純な、既知の通信様式を意味する。受け手と添付物を共有する送り手の能力は、例えばUS2003/0187936に記載されており、これは、トランスコーディングゲートウェイにおいて、デジタルオブジェクトを含むＥメールを受信し、タグ言語で表される前記デジタルオブジェクトの特性を表示し、表示特性にしたがって前記デジタルオブジェクトを表示することを有するＥメール管理の方法に関する。US2003/0187936のトランスコーディングゲートウェイは、したがって、あるフォーマットから他のフォーマットへの、例えばＥメール内のデジタルオブジェクトから、ビデオスクリーン、オーディオプレーヤ、デジタルアートフレーム及びセットトップボックスにより制御されるテレビジョンセットのような表示装置上の表示に適したトランスコード済みデジタルオブジェクトへのメッセージのトランスコーディングを記載する。
【０００４】
テレビジョンセット上で受信したデジタルフォトを見ることは、この後に可能である。ほとんどの人、特にお年寄りに対して、前記テレビジョンセットは、使いやすいインタフェースを意味し、お年寄りであるＥメールの受け手が、携帯電話、ＰＣ及びインターネットのような新しい技術の取り扱いに関連した問題なしに添付されたフォトを見ることを可能にする。
【０００５】
しかしながら、例えばＥメール内のフォトをテレビジョンセット上で表示する能力は、受け手が見ることを容易化することができるが、例えばそれぞれのフォトにおける行われている活動の個別の説明の提供は、困難である。前記受け手が読むメッセージ本文内の前記フォトのそれぞれの説明を全て集めるより洗練された解決法は、おそらく特別なソフトウェア又は専用のウェブサイトの助けを必要とする。
【０００６】
結果的に、改良されたユーザインタフェース、及びこの後に添付物を持つＥメールをパッケージ化及び表示する改良されたインタラクション設計に対する要望が存在する。
【発明の概要】
【発明が解決しようとする課題】
【０００７】
したがって、本発明の目的は、上の関連した欠点が全体的に又は少なくとも部分的に除去される、導入部で述べられたタイプのＥメールをパッケージ化及び表示する方法を提供することである。
【課題を解決するための手段】
【０００８】
本発明によると、Ｅメールをパッケージ化及び表示する方法が提供され、前記方法は、少なくとも１つの第１の独立デジタルオブジェクト及び対応する第１のタグ、並びに前記第１のタグにより前記第１の独立デジタルオブジェクトに関連付けられた少なくとも１つの第１の従属デジタルオブジェクトを持つＥメールを作成するステップと、前記第１の従属デジタルオブジェクトを展開し、前記関連付けられた第１の独立デジタルオブジェクトとマッチさせ、これにより第１の処理されたコンテンツを形成するように前記Ｅメールを処理するステップと、前記第１の処理されたコンテンツの前記第１の独立デジタルオブジェクト及び前記第１の従属デジタルオブジェクトが同時に提示されるように前記Ｅメールを表示するステップとを有する。
【０００９】
用語「デジタルオブジェクト」は、本願の文脈において、広い意味で理解されるべきであり、例えば通常のテキスト本文及びＥメール自体のフォーマットヘッダ以外のＥメール内のデータを意味する。デジタルオブジェクトは、したがって、例えばテキスト、フォト、オーディオ、ビデオ又は結合されたメディアファイルのいずれかでありうる。最も単純な場合、前記デジタルオブジェクトは、タグに関連して、前記メッセージに、例えばメッセージ本文に書き込まれたプレーンテキストであることさえできる。
【００１０】
更に、用語Ｅメールの「送り手」及び「受け手」は、本願の文脈において、広い意味で理解されるべきであり、前記メッセージを作る人及び前記メッセージを読む人をそれぞれ含む。
【００１１】
本発明は、使いやすいインタフェースを介して例えばお年寄りと前記お年寄りの物理的に離れた家族との間の通信を容易化することを目的とする。子供は、彼らが最も使いやすい方法を使用してお年寄りにメッセージを送ることができ、お年寄りは、新しい技術を取り扱う際にしばしば直面する問題無しで前記メッセージを容易に受信し、提示されることができる。本発明で導入されるＥメールのパッケージ化及び表示の方法は、少なくとも１つの独立デジタルオブジェクト及び少なくとも１つの関連付けられた従属オブジェクトを持つ前記メッセージを作る送り手、及び前記メッセージが提示される受け手の両方が、ユーザフレンドリなインタフェースに直面することを可能にする。前記送り手が、独立デジタルオブジェクトを使いやすい形で挿入／添付することができ、前記独立デジタルオブジェクトと関連付けられるべき従属デジタルオブジェクトを容易に識別することができるので、前記デジタルオブジェクトを互いにリンクするのに複雑な特別ソフトウェア又は専用のウェブサイトの必要性が存在しない。リンク付けは、タグを持つ前記独立デジタルオブジェクトで可能にされ、前記タグにより、前記従属デジタルオブジェクトは、前記独立デジタルオブジェクトと関連付けられる。
【００１２】
更に、前記処理されたコンテンツの前記デジタルオブジェクトが同時に提示される結果として、前記独立デジタルオブジェクト及び前記関連付けられた従属デジタルオブジェクトは、結果的に同時に前記ユーザに提示される。したがって、前記独立デジタルオブジェクトが、例えばデジタルフォトであり、前記従属デジタルオブジェクトが、例えば前記フォトにおける行われている活動を説明するプレーンテキストである場合、前記説明するテキストは、前記フォトとともに添付のテキストとして表示されることができる。同様に、代わりに前記従属デジタルオブジェクトが、前記フォトにおける行われている活動を説明するオーディオファイルである場合、前記オーディオファイルは、前記フォトの表示とともに再生されることができる。結果的に、前記受け手が、例えばメッセージ本文のような複数のソースを調べて、独立デジタルオブジェクトに関連付けられた従属デジタルオブジェクトを取り出す必要が無く、これにより前記受け手も、ユーザフレンドリなインタフェースと直面する。
【００１３】
前記受け手の端末において実行可能なインタフェースは、例えばセットトップボックス（ＳＴＢ）又はセットトップユニット（ＳＴＵ）でありうる端末装置により制御されるテレビジョンセットであることができる。このような装置は、前記受け手にとって使いやすい可能性が高く、このインタフェースを用いて、前記Ｅメールがフォト及び説明テキストを有する場合、前記受け手に対する観察体験は、前記フォトとともに添付されたテキストとして説明を表示する前記テレビジョンセットにより実現される。前記メッセージ本文及び前記処理されたコンテンツ、すなわち、この場合の前記フォト及び説明テキストは、必ずではないが、好ましくは、別々に提示される。
【００１４】
しかしながら、メッセージは、通常、複数の独立デジタルオブジェクトを有する。したがって、本発明の好適な実施例によると、前記Ｅメールは、更に、対応する第２のタグを持つ第２の独立デジタルオブジェクト及び前記第２のタグにより前記第２の独立デジタルオブジェクトに関連付けられた少なくとも１つの第２の独立デジタルオブジェクトを有しうる。本実施例によると、前記処理するステップは、更に、前記第２の従属デジタルオブジェクトを展開し、前記関連付けられた第２の独立デジタルオブジェクトとマッチさせ、これにより第２の処理されたコンテンツを形成することを有し、前記表示するステップは、更に、前記第２の処理されたコンテンツの前記第２の独立デジタルオブジェクト及び前記第２の従属デジタルオブジェクトを同時に提示し、前記第１の及び第２の処理されたコンテンツを順次的に提示することを有する。
【００１５】
個別の関連付けられた従属デジタルオブジェクト、例えばそれぞれのフォトにおいて行われている活動の説明を持つ複数の独立デジタルオブジェクト、例えばフォトを添付するのに与えられた能力を用いて、添付された関連付けられた説明とともに前記フォトを１つずつ順次的に表示することが可能である。前記送り手は、前記従属オブジェクトが前記関連付けられたそれぞれの独立デジタルオブジェクトのそれぞれのタグにリンクされるという点で、複数の添付された例えばフォトに対して個別の例えば説明を提供することを可能にされる。前記タグの目的は、したがって、前記送り手の希望に従って前記Ｅメールコンテンツの異なる部分のレイアウト及び順序を構成することである。結果的に、前記送り手が、単純な形で、彼の好きなように前記フォト及びそれぞれの従属デジタルオブジェクトを構成する能力を持つので、観察体験は、前記受け手に対して強化されることができる。各独立デジタルオブジェクトに対するそれぞれの関連の範囲を定めるために、前記メッセージは、例えば、前記第１の及び第２の独立デジタルオブジェクトそれぞれに対して、前記対応するタグが前記Ｅメールに書き込まれ、前記関連付けられた従属デジタルオブジェクト及び<ENTER>キー（LF/CR）が後に続くように構成されることができる。
【００１６】
本発明は、更に、１つの従属デジタルオブジェクト、例えばプレーンテキストが、複数のフォトと関連付けられることを可能にする。逆も同様であり、フォトは、例えばオーディオファイル及びプレーンテキストのような複数の従属デジタルオブジェクトと関連付けられてもよい。前者の場合、同じテキストが、順次的に示される各フォトとともに添付されたテキストとして表示され、後者の場合、前記テキストは、前記フォトとともに添付されたテキストとして表示され、同時に前記オーディオファイルが再生される。
【００１７】
本発明の他の態様、利益及び有利なフィーチャは、以下の記載及び請求項から明らかである。
【００１８】
本発明は、非限定的な例として提供される添付の図面からより明らかになる。
【図面の簡単な説明】
【００１９】
【図１】本発明の第１の実施例に対する典型的なシステムアーキテクチャである。
【図２】図１の第１の実施例によるプロセスフローを示す。
【図３ａ】図２のプロセスフローに関連したビューを示す。
【図３ｂ】図２のプロセスフローに関連したビューを示す。
【図３ｃ】図２のプロセスフローに関連したビューを示す。
【図４】本発明の第２の実施例によるプロセスフローを示す。
【図５ａ】図４のプロセスフローに関連したビューを示す。
【図５ｂ】図４のプロセスフローに関連したビューを示す。
【図５ｃ】図４のプロセスフローに関連したビューを示す。
【発明を実施するための形態】
【００２０】
以下の詳細な説明において、本発明の好適な実施例が記載される。しかしながら、異なる実施例のフィーチャは、実施例の間で交換可能であり、他に特に示されない限り、異なる形で組み合わせられることができると理解されるべきである。
【００２１】
第１の実施例に対する典型的なシステムアーキテクチャを示す図１に取り掛かると、送り手の端末、サーバ１２及び受け手の端末が示される。前記送り手の端末において、Ｅメール１が作成され、サーバ１２において、メッセージ１が処理され、前記受け手側の端末において、Ｅメール１が表示される。サーバ１２は、中間サーバであってもよく、又はメッセージ１の処理が代替的に例えば前記送り手又は受け手の端末において実行することが可能であるならば、余分であることさえありうる。
【００２２】
サーバ１２は、インターネット１１を介して、それぞれ、前記送り手の端末及び受け手の端末に接続される。インターネット１１は、この第１の実施例において適切なオプションであるが、ＷＡＮ又はＬＡＮのような他のオプションが、同様に実行可能である。前記送り手の端末は、ＰＣ１０のような、Ｅメール１を作成する手段を有する。サーバ１２は、Ｅメール本文パーサ１３、フォト添付展開器１４及びコンテンツプロセッサ１５を有する。前記受け手の端末は、ディスプレイを持つＰＣ１０のような、メッセージ１の受信及び表示をサポートする手段を有しうる。しかしながら、図１の図示された典型的なシステムアーキテクチャにおいて、前記受け手の端末は、テレビジョンセット１７に接続された端末装置１６を有する。端末装置１６は、ここでは、Ｅメール１の受信及びテレビ１７上での表示を可能にする、テレビジョンセット１７を制御するセットトップボックス（ＳＴＢ）又はセットトップユニット（ＳＴＵ）である。ＳＴＢが好ましいが、類似した機能を可能にする如何なる端末装置１６も可能であることに注意する。更に、入力装置１８は、端末装置１６に取り付けられることができ、メッセージ１の受け手からのインタラクションを可能にする。
【００２３】
この第１の実施例の典型的なステップは、図２に示され、図２は、好ましくは、図３ａないし３ｃと併せて見られ、図３ａないし３ｃは、図２の設けられたステップに関連したビューを示す。
【００２４】
前記送り手の端末における動作中に、Ｅメール１は、第一に、第１のステップ２００において作成される。このステップ２００は、図３ａに示される説明図を用いて以下に説明されるサブステップ２０１ないし２０４を有する。サブステップ２０１ないし２０４が、望ましい如何なる順序で実行されてもよく、必ずしも図２に示される順序でなくてもよいことに注意する。ステップ２０１において、前記送り手は、少なくとも１つの挨拶を適切に有するメッセージ本文２を作る。次のステップ、ステップ２０２において、複数の独立デジタルオブジェクト４ａ、４ｂ、すなわちデジタルフォトが、メッセージ１に添付される。この第１の実施例の前記独立デジタルオブジェクトは、写真であるが、本発明は、このタイプの添付物に制限されない。例えばテキスト、オーディオ、ビデオ若しくは結合されたメディア（例えばフラッシュ）ファイル又はこれらの組み合わせのような他のタイプのデジタルオブジェクトが、同様に添付されることができる。更に、フォトの数は任意であり、この第１の実施例のように２つに制限されないことに注意する。
【００２５】
ステップ２０３において、添付されたフォト４ａ、４ｂに対応するタグ６ａ、６ｂは、メッセージ１に挿入され、タグ６ａ、６ｂは、必ずではないが、好ましくは、フォト４ａ、４ｂの名前を有する。前記挿入は、メッセージ本文２にタグ６ａ、６ｂを書き込む前記送り手により実行されることができるが、フォト４の添付とともに自動的に実行される挿入が考えられることができる。より具体的には、タグ６ａは、タグ<trip1.jpg>がフォトtrip1.jpgに対応するようにフォト４ａに対して付加され、タグ６ｂは、タグ<trip2.jpg>がフォトtrip2.jpgに対応するようにフォト４ｂに対して付加される。特別な文字「<」及び「>」が、タグ６ａ、６ｂを特徴付けるためにこの第１の実施例において選択されているが、引用符、括弧又はブラケットのような他の特別な文字が、ファイル名を囲むのに使用されてもよい。同様に、例えば特別な特徴なしのフォトファイル名が対応するフォト６ａ、６ｂを表すように、特別な文字の省略も可能でありうる。
【００２６】
次のステップ２０４において、それぞれのフォト４ａ、４ｂの関連付けられた従属デジタルオブジェクト、ここでは説明が、メッセージ１に挿入される。好ましくは、図３ａに示されるように、対応するタグ６ａの後に続いて、前記送り手は、説明テキスト３ａの範囲を定めるために<ENTER>キー（即ちLF/CR又は改行）が後に続く関連付けられたフォト説明３ａを書き込む。同じ手順は、この場合、フォト４ｂに対して繰り返され、すなわち、対応するタグ６ｂに続いて、前記送り手は、<ENTER>キーが後に続く関連付けられたフォト説明３ｂを書き込み、結果として、
<trip1.jpg> All 3 of us had a splendid day at the park last weekend.
<trip2.jpg> Here's a "father and son" moment.
を生じる。
【００２７】
この第１の実施例の従属デジタルオブジェクト３ａ、３ｂは、プレーンテキストからなるが、本発明は、これに限定されない。更に示されるように、第２の実施例において、従属デジタルオブジェクト３ａ、３ｂは、同様に、例えばフォト、オーディオ、ビデオ若しくは結合メディアファイル、又はこれらの組み合わせのような他のタイプであることができる。
【００２８】
各フォト説明３ａ、３ｂは、図示された第１の実施例において、リンクされ、これは、それぞれ単一のフォト４ａ、４ｂに関連付けられる。しかしながら、フォト説明、例えば３ｂは、同様に、好適であれば、複数のフォト４ａ、４ｂにリンクされてもよい（図示されない）。この場合、同じテキスト説明３ｂは、
<photo1.jpg, photo2.jpg> Here's a "father and son" moment.
のように例えばフォトファイル名の連結によりリンクされる複数のフォト４ａ、４ｂと関連付けられる。
【００２９】
メッセージ１の作成の完了及び提出の後に、メッセージ１は、図２と併せて説明されるように、好ましくはサーバ１２による、ステップ２１０の処理の候補になる。ステップ２１０は、図３ｂに示される説明図を用いて後で説明されるサブステップ２１１ないし２１３を有する。ステップ２１１において、メッセージ１は処理され、メッセージ本文２の形式において、例えば構文解析される。この後に、ステップ２１２において、それぞれの説明３ａ、３ｂは、展開され、関連付けられたフォト４ａ、４ｂとマッチされ、それぞれの処理されたコンテンツ５ａ、５ｂを形成する。メッセージ１は、この場合、ステップ２１３において、好ましくは前記受け手の端末における表示に適切なフォーマットにフォーマットされ、前記受け手の端末は、この後にメッセージ１を受信する。更に、長いメッセージ本文２又はフォト説明３ａ、３ｂの場合、適切なページセグメンテーションが実行されうる。
【００３０】
Ｅメール１の処理の完了後に、メッセージ１は、したがって、ステップ２２０で開始する順次的表示に対して作成される。前記受け手の端末において実行されるこのステップは、図３ｃに示される説明図を用いて以下に説明されるサブステップ２２１ないし２２５を有する。サブステップ２２２ないし２２５は、如何なる望ましい順序で実行されてもよく、必ずしも図２に示される順序ではないことに注意する。ステップ２２１における端末装置１６によるメッセージ１の受信後に、メッセージ本文２のコンテンツは、メッセージ１の開封とともに、ステップ２２２において、テレビジョンセット１７上で前記受け手に対して表示される。この場合、自動的に又は前記受け手からのイニシアチブにより、第１のフォト４ａが選択され、ステップ２２３において、関連付けられた説明３ａとともにこの後に表示される。換言すると、関連付けられた説明３ａは、並列に、すなわちフォト４ａと同時に表示される。自動的に、所定の順序で、所定のタイミングで、又は他の受け手のイニシアチブにより、第２のフォト４ｂが、ステップ２２４において、添付されたテキストとして関連付けられた説明３ｂとともに表示される。フォト４ａ、４ｂは、結果的に、必要ではないが、望ましくは、メッセージ本文２とは別々に、それぞれの関連付けられた説明３ａ、３ｂとともに順次的に提示される。他の言葉で表すと、フォト４ａ、４ｂ及び関連付けられた説明３ａ、３ｂを表すそれぞれの処理されたコンテンツ５ａ、５ｂは、順次的に提示される。以前に記載したように添付されたフォト４の数は、２に限定されないので、Ｎ番目のフォト４ｎは、ステップ２２５において関連付けられた説明３ｎ（図示されない）とともに表示されることができる。
【００３１】
先行する記載に暗示されるように、本発明は、デジタルフォトの添付及び表示に限定されない。結果的に、図４は、本発明の第２の典型的な実施例のステップを示し、好ましくは図４の提供されたステップと関連付けられたビューを示す図５ａないし５ｃと併せて見られる。前記第２の実施例によるステップは、例えばテキスト、フォト、オーディオ、ビデオ若しくは結合メディア（例えばフラッシュ）ファイル、又はこれらの組み合わせのような任意のタイプであるデジタルオブジェクト‐独立４及び従属３‐に対するサポートを追加的に提供することを除き、前記第１の実施例のものに類似している。不要な詳細を持つ説明であふれるのを防ぐために、前記２つの実施例の間の比較の差のみが、以下で教示され、前記第１の実施例と併せて説明された詳細は、他の全ての態様において前記第２の実施例に当てはまる。
【００３２】
図２と同様に、ステップ４００は、前記送り手の端末において実行されるサブステップ４０１ないし４０４を含み、前記ステップの説明図は図５ａに示され、ステップ４１０は、サーバ１２において実行されるサブステップ４１１ないし４１３を含み、前記ステップの説明図は図５ｂに示され、ステップ４２０は、前記受け手の端末において実行されるサブステップ４２０ないし４２５を含み、前記ステップの説明図は図５ｃに示される。以前に述べたように、前記サブステップの順序は、望ましければ、変更されてもよい。
【００３３】
ステップ４０１におけるＥメール１のＥメール本文２の作成の後に、第１のフォト４ｃが、ステップ４０２ｃにおいて、メッセージ１に添付される。次いで、ステップ４０２ｄにおいて、ビデオファイル４ｄが添付され、この後にフラッシュファイル４ｅがステップ４０２ｅにおいて添付される。ステップ４０３ｃにおいて、フォト４ｃに対応するタグ６ｃが、前記メッセージに挿入され、ビデオファイル４ｄに対応するタグ６ｄがステップ４０３ｄにおいて挿入され、フラッシュファイル４ｅに対応するタグ６ｅがステップ４０３ｅにおいて挿入される。次に、ステップ４０４ｃにおいて、第１のフォト４ｃに関連付けられた従属デジタルオブジェクト３ｃ、ここでは歌「Itsy-bitsy spider...」を有するオーディオファイルが、メッセージ１に添付され、対応するタグ６ｃ'が、メッセージ本文２に挿入される。ステップ４０４ｄにおいて、ビデオファイル４ｄに関連付けられた従属デジタルオブジェクト３ｄ、ここではプレーンテキスト説明が、メッセージ本文２に挿入され、ステップ４０４ｅにおいて、フラッシュファイル４ｅに関連付けられた他の従属デジタルオブジェクト３ｅ、ここでは第２のフォトが、メッセージ１に添付され、対応するタグ６ｅ'が、メッセージ本文２に挿入される。結果的に、如何なるタイプの独立デジタルオブジェクト４も、如何なるタイプの従属デジタルオブジェクト３に関連付けられることができる。
【００３４】
メッセージ本文２内の独立デジタルオブジェクト４ｃ、４ｄ、４ｅに対するタグ６ｃ、６ｄ、６ｅ、及び関連付けられた従属デジタルオブジェクト３ｃ、３ｄ、３ｅの構成は、好ましくは、前記第１の実施例と併せて説明された構成と同様であり、結果としてタグシーケンス、
<photo1.jpg> <audio.mp3>
<video.mpg> Hear the laughter of my son.
<flash.mov> <photo2.jpg>
を生じる。
【００３５】
前述のとおり、独立オブジェクト４は、更に、複数の関連付けられた従属デジタルオブジェクト３を持ちうる。例えば、オーディオファイル３ｃ及び説明テキスト３ｄの両方が、第１のフォト４ｃと関連付けられてもよく、これは、オーディオファイル３ｃが同時に再生される、説明テキスト３ｄと並列のフォト４ｃの後の表示に帰着する（図示されない）。このようなタグシーケンスは、例えば、以下のように、すなわち、
<photo1.jpg> <audio.mp3> Hear the laughter of my son.
のように構成されることができる。
【００３６】
ここで、処理を含むステップに進むと、メッセージ１は、ステップ４１１において、サーバ１２により処理される。この場合、図１に示されるサーバ１２は、好ましくは、前記第２の実施例のサポートに対して要求される要素を有し、全ての様々な添付ファイルの展開を可能にする。ステップ４１２において、従属デジタルオブジェクト３ｃ、３ｄ、３ｅは、展開され、関連付けられた独立デジタルオブジェクトとそれぞれマッチさせ、それぞれの処理されたコンテンツ５ｃ、５ｄ、５ｅを形成する。ステップ４１３において、前記メッセージコンテンツは、次いでフォーマットされる。前記受け手の端末に到着すると、メッセージ本文２は、ステップ４２２において、ステップ４２１におけるメッセージ１の受信後に、表示される。第１のフォト４ｃは、次いで、ステップ４２３において、同時に再生される関連付けられたオーディオファイル３ｃとともに表示される。次いで、ステップ４２４において、ビデオファイル４ｄは、関連付けられたテキスト３ｄの表示とともに再生され、この後に、ステップ４２５において、フラッシュファイル４ｅが、第２のフォト３ｅが表示されるのと同時に再生される。前記第１の実施例と併せて説明されたように、各独立デジタルオブジェクト４ｃ、４ｄ、４ｅは、したがって、関連付けられた従属オブジェクト（又は複数のオブジェクト（図示されない））３ｃ、３ｄ、３ｅと並列に提示され、各独立デジタルオブジェクト４ｃ、４ｄ、４ｅは、更に、互いに対して順次的に提示される。他の言葉で表すと、フォト４ｃ、４ｄ、４ｅ及び関連付けられた説明３ｃ、３ｄ、３ｅを表すそれぞれの処理されたコンテンツ５ｃ、５ｄ、５ｅは、順次的に提示される。
【００３７】
結果的に、本発明によるＥメールをパッケージ化及び表示する方法の導入に伴って、改良されたユーザインタフェース及びその後の改良されたインタラクション設計が、提示されている。
【００３８】
本発明は、ここで、異なる実施例に関して論じられている。しかしながら、複数の他の代替例が可能であることは、当業者により理解されるべきである。例えば、上で論じられた異なる実施例のフィーチャは、多くの他の形で自然に組み合わせられることができる。
【００３９】
上で述べられたものと同様の複数のこのような代替例が、本発明の精神から逸脱することなしに使用されることができ、全てのこのような修正が、添付の請求項に規定される本発明の一部とみなされるべきであることは、当業者に理解される。
【図１】
0005632364.tif 000002
【図２】
0005632364.tif 000003
【図３ａ】
0005632364.tif 000004
【図３ｂ】
0005632364.tif 000005
【図３ｃ】
0005632364.tif 000006
【図４】
0005632364.tif 000007
【図５ａ】
0005632364.tif 000008
【図５ｂ】
0005632364.tif 000009
【図５ｃ】
0005632364.tif 000010